(57)【要約】      （修正有）【課題】簡単な構造で大きな弾性力を得ることができ、クッションフロア（例えば絨毯）を、その上に置かれる家具等の重力から塑性変形しないように保護し、クッション性を失うことを防止する新規な家具等の敷板２を提供する。【解決手段】剛性を有する板状の基片４の両面に弾性を有する弾性片６、６を接着してなる。更に、略中央部に重力集中緩和用の貫通孔８を形成する。弾性片６、６をゴムとコルクを含有する材料で形成する場合には、ゴムが吸水して弾性片６、６が劣化するのを防止するため、撥水膜９を敷板２の全表面に塗布する。【選択図】図１
0003115435.tif 000002
【実用新案登録請求の範囲】
【請求項１】
剛性を有する板状の基片の両面に弾性を有する弾性片を接着してなる
ことを特徴とする家具等の敷板。
【請求項２】
略中央部にそれを厚さ方向に貫通する貫通孔を形成してなる
ことを特徴とする請求項１記載の家具等の敷板。
【請求項３】
前記基片が樹脂乃至塩化ビニールからなり、
前記弾性片がゴムとコルクを少なくとも含有する
ことを特徴とする請求項１又は２記載の家具等の敷板。
【請求項４】
表面上に全面的に撥水膜を形成してなる
ことを特徴とする請求項３記載の家具等の敷板。
【考案の詳細な説明】
【技術分野】
【０００１】
本考案は、クッションフロアを、その上に置かれる家具、電気製品等（本願の実用新案登録請求の範囲、明細書等において、家具や、家具のように室内においてクッションフロア上に置く電気製品等比較的重いものを「家具等」という。）の重力から塑性変形しないように保護し、クッション性を失うことを防止する家具等の敷板に関するものである。
【背景技術】
【０００２】
家庭内において問題となることに一つに、箪笥、食器棚、テーブル、テレビジョン受像器、ステレオ装置等を置いたとき、クッションフロアがそれらの重みにより沈み込み（凹み）、経年効果により、凹んだままになるという問題がある。と言うのは、それによってクッションフロアの特性が劣化して弾性を失い、塑性変形してその価値が急激に低下するからである。
【０００３】
このような問題は、貸しアパート、貸家を持つ所謂大家さんにとっては特に深刻である。と言うのは、入居者が変わるたびにアパート、貸家のクッションフロアの交換を余儀なくされることが多いからである。
この点について説明すると、アパート、貸家の居住者がクッションフロア上に家具等を置くのは生活上当然のことであり、その結果として、クッションフロアーにその家具等によって痕がついたとしても、居住者にはその責任は無い。従って、その居住者がそのアパート、貸家から出るときにおいてもクッションフロアに痕が着いたことに対して弁償する義務を負わないというのが、昨今の法律的考え方である。
【０００４】
しかし、アパート、貸家に空きができて新たな居住者を募るとき、クッションフロアに家具等による痕がついていれば、当然に居住を希望する者がいなくなる可能性が有り、交換を余儀なくされる場合が生じる。ところが、クッションフロアは決して安価なものではなく、そのため、交換に要する費用を家賃に転嫁させる必要性が生じ得る。
しかし、その転嫁させるべく家賃を高く設定すると、居住希望者がなく、空家のままに放置せざるを得ない場合も少なくない。従って、クッションフロアに家具等による痕がつくという問題は貸しアパート、貸家を持つ大家さんにとって深刻な問題となるのである。
【０００５】
そこで、敷板をクッションフロア上に置き、その敷板を置いた部分上に家具等を置き、クッションフロアに痕が付かないようにすることが考えられる。例えば、数ｃｍ平方程度の大きさの敷板を用い、その敷板を、例えば箪笥の底面の四隅とクッションフロアとの間に介在させるとか、テレビジョン受像機を載せるテレビジョン置き台の脚（一般に４本ある）とクッションフロアとの間に介在させるとかする。
すると、タンスの底面の四隅やテレビジョン置き台の脚によるクッションフロアへの重力集中が敷板によって緩和され、クッションフロアに痕がつきにくく、即ち、塑性変形しにくく、痕がついても復元し易い。
【０００６】
従って、前述のような例においては、大家さんは新しい賃貸契約者に対してクッションフロアの上に家具等を置く場合には敷板を下に敷いて痕が付かないようにすることを要求する（義務を課す）こととすれば、その居住者がその義務を履行することによってクッションフロアに家具等による痕が着くことを回避することができる。その場合には、次に居住者を募るとき、クッションフロアを交換することは必ずしも必要ではなくなる。
また、居住者がその要求に応えず、クッションフロアに家具等により痕をつけてしまった場合には、その居住者がその貸しアパートを出るときに弁償してもらうことができ得るであろう。痕がつくことを回避する手段があり、それを提示し、その履行を義務づけた場合には、その履行を怠ってクッションフロアに家具等による痕がついた場合、賃貸契約をした居住者は弁償を免れ得ないであろう。法律的には、この場合でも、弁償義務がないとする合理的根拠はないと言える。
従って、弁償を受け、その弁償分を、新たに居住者を募るにあたってのクッションフロア交換費用に充当することが可能となり、その交換費用を家賃に転嫁する必要性がなくなるのである。
【０００７】
従って、敷板は、大家さんの救世主になり得る。勿論、一般の人にとっても、クッションフロアに痕がつくことを防止し、劣化することを回避できるので極めて有益である。
敷板としては、特開平９−１００７４号公開公報に紹介されたものがある。この敷板は、両端部で床面に面する側に弾性材を装着し、張り出しを形成してなるものである。
【特許文献１】特開平０９−１００７４号公報
【考案の開示】
【考案が解決しようとする課題】
【０００８】
ところで、上記従来の技術は、敷板本体の一方の面（床面に面する側の面）の両端部に弾性材を接着して張り出しを形成したものであり、例えば寝台を頭側と足側の端部にて畳の上に安定に設置したりするには、適するかもしれないが、その両端部の張り出し間に凹部が形成され、例えば４本脚のテレビジョン置き台を絨毯のようなクッションフロア上に痕がつかないように置くものには適しない。特に、凹部の存在が絨毯の表面を平坦に保つことを妨げる原因になることがある。
また、上記敷板は、敷板本体の一方の面のみに弾性材が形成されているにすぎないので、充分な弾性力を得ることが難しいという問題もあった。
【０００９】
本考案は、このような問題を解決すべく為されたものであり、簡単な構造で大きな弾性力を得ることができ、クッションフロアを、その上に置かれる家具等の重力から塑性変形しないように保護し、クッション性を失うことを防止することのできる新規な家具等の敷板を提供することを目的とする。
【課題を解決するための手段】
【００１０】
請求項１の家具等の敷板は、剛性を有する板状の基片の両面に弾性を有する弾性片を接着してなることを特徴とする。
請求項２の家具等の敷板は、請求項１記載の家具等の敷板において、略中央部にそれを厚さ方向に貫通する貫通孔を形成してなることを特徴とする。
【００１１】
請求項３の家具等の敷板は、請求項１又は２記載の家具等の敷板において、前記基片が樹脂乃至塩化ビニールからなり、前記弾性片がゴムとコルクを少なくとも含有することを特徴とする。
請求項４の家具等の敷板は、請求項３記載の家具等の敷板において、表面上に全面的に撥水膜を形成してなることを特徴とする。
【考案の効果】
【００１２】
請求項１の家具等の敷板によれば、剛性を有する板状の基片の両面に弾性を有する弾性片を接着してなるので、両面に弾性片があり、簡単な構造でありながら、より大きな弾力を得ることができる。
従って、クッションフロアを、その上に置かれる家具等の重力から塑性変形が生じないように保護し、クッション性を失うことを防止することができる。
そして、基片の両面に弾性片を接着するだけで敷板を構成することができ、構造が簡単で容易に製造することができ、価格を安くすることができる。
【００１３】
請求項２の家具等の敷板によれば、請求項１記載の家具等の敷板において、略中央部にそれを厚さ方向に貫通する貫通孔を形成したので、この貫通孔が家具等の重力を吸収することができる。
従って、敷板のクッションフロアに対する家具等の重力による塑性変形から保護効果をより強めることができる。
請求項３の家具等の敷板によれば、請求項１又は２記載の家具等の敷板において、基片を樹脂乃至塩化ビニールにより、前記弾性片をゴムとコルクを少なくとも含有する材料により形成するので、安価な材料により基片を構成することにより敷板として必要な強度を得ることができ、また、安価なゴムとコルクを利用して弾性片を形成することにより敷板として必要な弾性を得ることができる。
従って、安価な敷板を提供することができる。
【００１４】
請求項４の家具等の敷板によれば、請求項３の家具等の敷板において、表面を撥水膜で覆ったので、弾性片がゴムで構成されていても、その弾性片に水が侵入して変形、変質することをその撥水膜により防止することができる。
【考案を実施するための最良の形態】
【００１５】
本考案の最良の形態は、３〜８cm、例えば５cm平方の正方形を有し、厚さが１〜３mm、例えば２mmのプラスチック或いは塩化ビニール等の剛性を有する板状の基片の両面に、同形、同大の厚さが１〜３mm、例えば２mmの弾性片を接着して３層構造にし、その弾性片を少なくともゴムとコルクを含有させて弾力を得るようにし、更に略中央部に、直径３〜８ｍｍ（例えば５ｍｍ）程度の貫通孔を形成し、全表面を撥水膜で覆ったものである。
尚、弾性片としてゴムを含有しないものを用いた場合には、撥水膜を表面に形成する必要は無い。
【実施例１】
【００１６】
以下、本考案の詳細を図示実施例に基いて説明する。
図１（Ａ）、（Ｂ）は本考案の第１の実施例を示すもので、（Ａ）は斜視図、（Ｂ）は図１（Ａ）のＢ−Ｂ線に沿う断面図である。
図において、２は敷板、４は基片で、例えば５cm平方の正方形を有し、厚さが例えば２mmのプラスチック或いは塩化ビニール等からなる、剛性を有する板状体からなる。
６、６は基片４の両面に接着された弾性片で、基片４と同形、同大、同厚であり、少なくともゴムとコルクを含有させて弾力を得るようにしてなる。
【００１７】
８は敷板２の中央部に形成された貫通孔で、例えば直径が５ｍｍ程度である。この貫通孔８は、家具等の重力を吸収するためのもので、これにより、敷板のクッションフロアに対する家具等の重力による塑性変形から保護効果をより強めることができる。
９は敷板２の全表面（表裏両面、外側面及び貫通孔内周面）に形成された撥水膜であり、ゴムを含有する弾性片８に水が侵入して変形、変質することを防止することができる。
図２（Ａ）、（Ｂ）は各々敷板の互いに別の使用例を示す斜視図であり、（Ａ）は絨毯１０の上に箪笥１２を置く場合の使用例を示す。
【００１８】
この場合は、箪笥１２の下面の四隅において、絨毯１０との間に、敷板２、２、２、２を介在させる。
（Ｂ）は絨毯１０の上にテレビジョン受像機１４を載せるテレビジョン置き台１６を置く場合の使用例を示す。１８、１８、１８はテレビジョン置き台１６の下面の四隅に設けられた脚であり、図面には三つの脚のみが現れる。
この場合は、脚１８、１８、１８、１８と絨毯１０との間に、敷板２、２、２、２を介在させる。
【００１９】
このような家具等の敷板２によれば、剛性を有する板状の基片４両面に弾性を有する弾性片６、を接着してなるので、両面に弾性片６、６があり、簡単な構造でありながら、充分な弾力を得ることができる。
従って、クッションフロア（１０）を、その上に置かれる家具等（１２、１４・１６）の重力から保護し、クッション性を失うことを防止することができる。
そして、基片４の両面に弾性片６、６を接着するだけで敷板２を構成することができ、構造が簡単なので容易に製造することができ、価格を安くすることができる。
【００２０】
そして、敷き板２の略中央部にそれを厚さ方向に貫通する貫通孔８を形成したので、この貫通孔８によって家具等の重力を吸収することができる。従って、敷板のクッションフロアに対する家具等の重力による塑性変形から保護する保護効果をより強めることができる。
また、基片４を樹脂乃至塩化ビニールにより、弾性片６をゴムとコルクを少なくとも含有する材料により形成するので、安価な材料により基片４を構成して敷板として必要な強度を得ることができ、また、安価なゴムとコルクを利用して弾性片６を形成して敷板２として必要な弾性を得ることができる。
従って、安価な敷板２を提供することができる。
【００２１】
そして、表面を撥水膜９で覆ったので、弾性片６、６がゴムで構成されていても、その弾性片６、６に水が侵入して変形、変質することをその撥水膜９により防止することができる。
【産業上の利用可能性】
【００２２】
本考案は、クッションフロアを、その上に置かれる家具等の重力から塑性変形しないように保護し、クッション性を失うことを防止する敷板に産業上の利用可能性がある。
【図面の簡単な説明】
【００２３】
【図１】（Ａ）、（Ｂ）は本考案の第１の実施例を示すもので、（Ａ）は斜視図、（Ｂ）は図１（Ａ）のＢ−Ｂ線に沿う断面図である。
【図２】（Ａ）、（Ｂ）は各々本考案敷板の互いに別の使用例を示す斜視図であり、（Ａ）は絨毯の上に箪笥を置く場合の使用例を示し、（Ｂ）は絨毯の上にテレビジョン受像機を載せるテレビジョン置き台を置く場合の使用例を示す。
【符号の説明】
【００２４】
２・・・家具等の敷板、４・・・基片、６・・・弾性片、  ８・・・弾性片、
９・・・撥水膜、１０・・・クッションフロア（絨毯）、１２・・・箪笥、
１４・・・テレビジョン受像機、１６・・・テレビジョン置き台、１８・・・脚。
【図１】
0003115435.tif 000003
【図２】
0003115435.tif 000004